(57)【要約】【課題】ハウジングが把持しやすい形状である上に、ハウジングが途中で大きく曲がっていることがハウジング内に内蔵する電源部と駆動部との組み付けに制限を与えてしまうことがないものとする。【解決手段】途中で屈曲した筒状のハウジング１と、該ハウジング１の一端寄りに納められる電源部４と、ハウジング１の他端寄りに納められる駆動部５とを備える。相互間の電気的接続及び機械的連結が保たれているとともにハウジング１の一端又は他端開口からハウジング１内に挿入配設される電源部４と駆動部と５は、ハウジング１の屈曲方向において両者のなす角度が可変の状態で上記機械的連結がなされている。機械的連結がなされた電源部４と駆動部５とを筒状で且つ途中で屈曲しているハウジングの一端開口からハウジング内に差し込む時、電源部と駆動部とのなす角度を変化させることができる。【選択図】  図１
2004222742.tif 000002
【特許請求の範囲】
【請求項１】
途中で屈曲した筒状のハウジングと、該ハウジングの一端寄りに納められる電源部と、上記ハウジングの他端寄りに納められる駆動部とを備え、相互間の電気的接続及び機械的連結が保たれているとともに筒状ハウジングの一端又は他端開口から筒状ハウジング内に挿入配設される電源部と駆動部とは、筒状ハウジングの屈曲方向において両者のなす角度が可変の状態で上記機械的連結がなされていることを特徴とする小型電気機器。
【請求項２】
機械的連結は、電源部と駆動部の一方に設けられた回動軸と、他方に設けられて上記回動軸に回動自在に連結された軸受片とでなされていることを特徴とする請求項１記載の小型電気機器。
【請求項３】
電源部と駆動部の少なくとも一方は、ハウジングに設けた係合部と係合して位置決めを行う位置決め部材を備えていることを特徴とする請求項１または２記載の小型電気機器。
【請求項４】
途中で屈曲した筒状のハウジングと、該ハウジングの一端開口からハウジング内に挿入配置される電源部と、上記ハウジングの他端開口からハウジング内に挿入配置される駆動部とを備えて、ハウジング内において端面同士が突き合わされる電源部と駆動部は、その突き合わせ部に突き合わせ角度が可変の電気的接続用接触片を備えていることを特徴とする小型電気機器。
【発明の詳細な説明】
【０００１】
【発明の属する技術分野】
本発明は手で把持することができる小型電気機器、殊に防水型の小型電気機器に関するものである。
【０００２】
【従来の技術】
ヘアカッターや電気かみそりのような小型電気機器では、電源部と駆動部とを直列に並べて筒状のハウジング内に収納した形態としたものが多く、この場合、ハウジングは一般に軸線が直線である筒状のものが用いられている。
【０００３】
しかし、電気かみそりの刃を肌に当てたり、ヘアカッターで髪や髭を切ったりする場合のハウジングの把持を考えると、ハウジングはその軸線が途中で折れ曲がったり曲線を描いたりしたもの、つまりは側面形状がくの字形になっている方が好ましい。
【０００４】
このような小型電気機器の一例が特開２００２−３６９９８１号公報（特許文献１）に示されている。側面形状がくの字形となっているハウジング内に電源部と駆動部とを収納し、更にハウジングの一端から斜め前方に突出するヘッド部を設けられている。
【０００５】
【特許文献１】
特開２００２−３６９９８１号公報
【０００６】
【発明が解決しようとする課題】
ところで、電気機器を防水型とする場合、この種の電気機器では、ハウジングの一端側に刃等の出力部を、他端側に充電器等との接続部を配置した形態となることから、ハウジングを両端が開口する筒状のものとし、一端側から電源部と駆動部とを一体化したモジュールを差し込み、その後、ハウジングの両端を閉じて防水型とするのが部品点数の点や組立の都合上、一般的である。
【０００７】
しかし、このような組立構造を取る場合、ハウジングの軸線の曲がり具合を大きくすると、一端側から電源部２と駆動部とを一体化したモジュールを差し込んで組み付けるということができなくなる。上記特許文献１に示されたものも、本来ならばヘッドとハウジングの下部とがなす角度でハウジングが途中で折れ曲がった形状とすることが理想であるにもかかわらず、上記の制約の点からハウジングの軸線の曲がり具合を小さく設定している。
【０００８】
ハウジングの内寸を上記モジュールよりかなり余裕のあるものとすることで電源部と駆動部とを一体化したモジュールの組み付けが可能となるが、この時にはハウジングの外形状も大きく（太く）なってしまう。つまり、把持しやすいように曲げ角度を大きくしようとすると、ハウジングが太くなってハウジングを握ることが難しくなる。
【０００９】
本発明はこのような点に鑑みなされたものであって、その目的とするところはハウジングが把持しやすい形状である上に、ハウジングが途中で大きく曲がっていることがハウジング内に内蔵する電源部と駆動部との組み付けに制限を与えてしまうことがない小型電気機器を提供するにある。
【００１０】
【課題を解決するための手段】
しかして本発明は、途中で屈曲した筒状のハウジングと、該ハウジングの一端寄りに納められる電源部と、上記ハウジングの他端寄りに納められる駆動部とを備え、相互間の電気的接続及び機械的連結が保たれているとともに筒状ハウジングの一端又は他端開口から筒状ハウジング内に挿入配設される電源部と駆動部とは、筒状ハウジングの屈曲方向において両者のなす角度が可変の状態で上記機械的連結がなされていることに第１の特徴を有している。機械的連結がなされた電源部と駆動部とを筒状で且つ途中で屈曲しているハウジングの一端開口からハウジング内に差し込む時、電源部と駆動部とのなす角度を変化させられるようにしたものである。
【００１１】
上記機械的連結は、電源部と駆動部の一方に設けられた回動軸と、他方に設けられて上記回動軸に回動自在に連結された軸受片とでなされていることが好ましい。
【００１２】
また、電源部と駆動部の少なくとも一方は、ハウジングに設けた係合部と係合して位置決めを行う位置決め部材を備えていてもよい。
【００１３】
また本発明は、途中で屈曲した筒状のハウジングと、該ハウジングの一端開口からハウジング内に挿入配置される電源部と、上記ハウジングの他端開口からハウジング内に挿入配置される駆動部とを備えて、ハウジング内において端面同士が突き合わされる電源部と駆動部は、その突き合わせ部に突き合わせ角度が可変の電気的接続用接触片を備えていることに他の特徴を有している。途中で屈曲した筒状のハウジングの両端開口から電源部と駆動部とを夫々差し込めば、ハウジング内において電源部と駆動部との電気的接続が接触片によってなされるようにしたものである。
【００１４】
【発明の実施の形態】
以下本発明を実施の形態の一例に基づいて詳述すると、図示例の小型電気機器は防水型のヘアカッターで、滑らかな曲面で外面が構成されているハウジング１は、図３に示す主ハウジング１１と、主ハウジング１１に組み合わされるカバー１２と、ヘアカット用の櫛刃状の刃３０を備えたヘッド部３とで構成されている。
【００１５】
また上記ハウジング１内には、二次電池で構成された電源部４と、モータを主体とする駆動部５とが配設されており、駆動部５におけるモータの回転はヘッド部３内において往復動に変換されて上記刃３０の駆動がなされる。
【００１６】
ここで、上記電源部４と駆動部５とは、側面形状がくの字形となっているハウジング１における主ハウジング１１に設けられた筒状部１３内に納められているのであるが、この筒状部１３も中程で屈曲した側面形状がくの字形となっており、筒上部１３の一端側に電源部４が、他端側に駆動部５が納められている。
【００１７】
ここにおいて、電源部４と駆動部５とは電気的に接続する必要があり、この接続をリード線４０で行う場合は、筒状部１３の一端開口から電源部４と駆動部５とを差し込んで組み付けることになるが、上述のように、筒状部１３は屈曲した形状となっている上に、電源部４と駆動部５も上記屈曲角度と同じ角度をなす状態で筒状部１３内に組み込まれることから、電源部４と駆動部５とを筒状部１３の屈曲角度と同じ角度で連結して一体化していた場合、筒状部１３の一端開口側から差し込んで組み込むことは困難であり、これを可能とするには筒状部１３の内径を電源部４や駆動部５の外径よりもかなり大きくして十分な余裕が生じるようにしておかなくてはならず、この時にはハウジング１が太くなってハウジング１が握りにくくなる。
【００１８】
このために電源部４の駆動部５側の端部に回動軸４５を設けるとともに、駆動部５の電源部４側の端部には上記回動軸４５を受ける軸受片５５を設けて、電源部４に対して駆動部５が回動自在となるように、つまりは電源部４と駆動部５との間の屈曲角度が可変となるようにしている。
【００１９】
図５に示すように、主ハウジング１の筒状部１３のヘッド部３側の一端開口から電源部４及び駆動部５を屈曲している筒状部１３内に差し込んで組み付けるにあたり、電源部４と駆動部５とがなす角度を変更しながら差し込むことができるものであり、この場合、電源部４と駆動部５との外寸に対する筒状部１３の内寸の余裕が小さくとも、電源部４と駆動部５とを筒状部１３内に納めることができ、さらに筒状部１３への差し込みが完了した時点で電源部４と駆動部５とがなす角度をさらに調整することで、電源部４及び駆動部５の筒状部１３内の所定位置へのビスなどによる固定を行うことができる。駆動部５に設けた一対の固定部５４は駆動部５を主ハウジング１１にビス止め固定するためのものである。
【００２０】
図６及び図７に示すように、電源部４から係合軸４６を突出させておくとともに、図８に示すように、筒状部１３内に上記係合軸４６を受ける係合溝１６を設けておき、筒状部１３の一端開口から電源部４を差し込んだ時、係合軸４６が係合溝１６に係合して電源部４が位置決めされるようにしてもよい。この場合、主ハウジング１１の筒状部１３内面との間のクリアランスが大きくなっている電源部４の位置決めを係合溝１６に係合した係合軸４６を基準に行うことができるために、電源部４の位置決め固定が容易となる。また、係合軸４６と係合溝１６との係合部と、前記固定部５４による固定とで駆動部５は位置決め固定されることなり、駆動部５のより確実な固定を行うことができる。
【００２１】
図９は電源部４と駆動部５とが回動自在に連結されて屈曲角度が可変となっていることから、筒状部１３の屈曲角度が異なっている他のハウジング１にも組み付けることができることを示している。
【００２２】
図１０及び図１１に他の実施の形態の一例を示す。ここでは電源部４の駆動部５側の端面に板ばね状の接触片４７を設けるとともに、駆動部５の電源部４側の端面に上記接触片４７に接触する接触片５７を突設している。この時、電源部４と駆動部５とがなす角度が少々大きくても両接触片４７，５７間の接続が保たれるように接触片４７，５７の形状を定めている。
【００２３】
そして、本例の場合、ハウジング１の筒状部１３内への電源部４と駆動部５との組み付けは、筒状部１３の一端開口側から駆動部５を差し込み、他端開口側から電源部４を差し込んで、筒状部１３内において電源部４と駆動部５とを突き合わせて上記接触片４７，５７による両者間の電気的接続がなされるようにしている。
【００２４】
この場合、電源部４や駆動部５の組み付け時の向きの変化を考慮しなくてもよいために筒状部１３の内寸を最小にすることができ、この結果、ハウジング１の外形寸法を小さくすることができる。
【００２５】
【発明の効果】
以上のように本発明においては、途中で屈曲した筒状のハウジングと、該ハウジングの一端寄りに納められる電源部と、上記ハウジングの他端寄りに納められる駆動部とを備え、相互間の電気的接続及び機械的連結が保たれているとともに筒状ハウジングの一端又は他端開口から筒状ハウジング内に挿入配設される電源部と駆動部とは、筒状ハウジングの屈曲方向において両者のなす角度が可変の状態で上記機械的連結がなされていることから、機械的連結がなされた電源部と駆動部とを筒状で且つ途中で屈曲しているハウジングの一端開口からハウジング内に差し込む時、電源部と駆動部とのなす角度を変化させることができるものであり、このために途中で屈曲している筒状のハウジングの屈曲角度が大きくても、電源部と駆動部とをハウジングの一端開口側から差し込んで組み付けることができるとともに、電源部や駆動部外寸に対してハウジングの内寸をさほど大きくしなくても組み付けに問題が生じることがないものであり、この結果、ハウジングが把持しやすい屈曲角度及び太さの小型電気機器を提供することができる。
【００２６】
上記機械的連結は、電源部と駆動部の一方に設けられた回動軸と、他方に設けられて上記回動軸に回動自在に連結された軸受片とでなされていることが、組立性及び信頼性の点で好ましい。
【００２７】
また、電源部と駆動部の少なくとも一方は、ハウジングに設けた係合部と係合して位置決めを行う位置決め部材を備えていると、ハウジング内における電源部や駆動部の位置決め固定が容易となる。
【００２８】
また、途中で屈曲した筒状のハウジングと、該ハウジングの一端開口からハウジング内に挿入配置される電源部と、上記ハウジングの他端開口からハウジング内に挿入配置される駆動部とを備えて、ハウジング内において端面同士が突き合わされる電源部と駆動部は、その突き合わせ部に突き合わせ角度が可変の電気的接続用接触片を備えたものにおいては、途中で屈曲した筒状のハウジングの両端開口から電源部と駆動部とを夫々差し込めば、ハウジング内において電源部と駆動部との電気的接続が接触片によってなされるものであり、筒状のハウジングの屈曲角度に関係なく電源部と駆動部とを確実に且つ容易に組み付けることができる上に、ハウジングの内寸と電源部及び駆動部の外寸との差を小さくしても組み付けに問題が生じることがなくて、より細身で握りやすいハウジングとすることができる。
【図面の簡単な説明】
【図１】本発明の実施の形態の一例の断面図である。
【図２】同上の側面図である。
【図３】同上の筒状部を有する主ハウジングの斜視図である。
【図４】（ａ）は同上の駆動部の斜視図、（ｂ）は同上の電源部の斜視図である。
【図５】同上の電源部及び駆動部の組み付け途中の状態を示す断面図である。
【図６】他例の電源部と駆動部の正面図である。
【図７】同上の電源部と駆動部の側面図である。
【図８】同上の主ハウジングの断面図である。
【図９】別の例の断面図である。
【図１０】他の実施の形態の一例における電源部と駆動部の正面図である。
【図１１】同上の電源部と駆動部の側面図である。
【符号の説明】
１  ハウジング
４  電源部
５  駆動部
１３  筒状部
４５  回動軸
【図１】
2004222742.tif 000003
【図２】
2004222742.tif 000004
【図３】
2004222742.tif 000005
【図４】
2004222742.tif 000006
【図５】
2004222742.tif 000007
【図６】
2004222742.tif 000008
【図７】
2004222742.tif 000009
【図８】
2004222742.tif 000010
【図９】
2004222742.tif 000011
【図１０】
2004222742.tif 000012
【図１１】
2004222742.tif 000013